(57)【特許請求の範囲】
【請求項１】
外枠と外枠内に回転自在に軸支された回転ドラムと、この回転ドラム内の衣類を乾燥する熱源と、この熱源からの熱風を前記回転ドラム内へ導き排出するファンと、前記回転ドラムおよびファンを駆動するモータと、前記回転ドラム内に配設した多層構造のフィルターと、前記多層構造のフィルターを形成するドラム側フィルターと、前記ドラム側フィルターに設けた可撓性を有する枠体と、前記枠体に形成したドラム側フィルターを回転ドラムに係着するための爪と、前記枠体に設けられたねじ取り付け穴と、前記ねじ取り付け穴を介してドラム側フィルターを回転ドラムに固定する合成樹脂製の手回し可能なねじと、前記ねじと螺合し、回転ドラムに係着するための爪を設けた合成樹脂性のナットと、前記ねじ取り付け穴近傍に設けたナットの位置決め用の凹部または凸部とを備え、前記凹部または凸部により、ねじの取り外しおよび締め付けによるナットの回動を防止するようにした衣類乾燥機。
【発明の詳細な説明】
【０００１】
【産業上の利用分野】
本発明はフィルターを配設した回転ドラム内で衣類を乾燥する衣類乾燥機に関するものである。
【０００２】
【従来の技術】
従来、この種の衣類乾燥機は、図５および図６に示すように構成していた。以下、その構成について説明する。
【０００３】
図５に示すように、外枠１は鋼板で形成し、この外枠１内に鋼板で形成した回転ドラム２を回転自在に配設している。回転ドラム２への衣類投入口３を外枠１の前面に形成し、回転ドラム２の後方にはファン４を配設し、回転ドラム２とファン４をモータ５により駆動する。ヒータ（熱源）６により加熱された空気を回転ドラム２内に送風し、回転ドラム２内の衣類を撹拌しつつ加熱乾燥するようにしている。
【０００４】
この際、回転ドラム２内にて撹拌された衣類からは糸くずが発生し、これを回転ドラム２内にて回収しなければ、糸くずがヒータ６や機内の送風経路各部に堆積し、乾燥性能を低下させるため、回転ドラム２内にはフィルター７を配設するのが一般的である。
【０００５】
フィルター７は多層構造とし、このフィルター７を形成するドラム側フィルター８は、図６に示すように、可撓性を有する合成樹脂により枠体９を形成し、この枠体９は内枠１０と外枠１１からなり、内枠１０と外枠１１とを継ぎ部１２により連結し、内枠１０、外枠１１、継ぎ部１２間に網部１３を形成している。継ぎ部１２に複数の爪１４を配設し、この爪１４を回転ドラム２に係着させて取付けていた。
【０００６】
【発明が解決しようとする課題】
このような従来の衣類乾燥機では、一般家庭において、回転ドラム２内のフィルター７の掃除を行うに際して、ドラム側フィルター８の取り外しは容易であるが、掃除後の取付けに際しては、回転ドラム２への係着用の爪１４の掛り具合によって、ドラム側フィルター８と回転ドラム２との間に隙間の発生する恐れがあり、シール性（ドラム側フィルター８の取付の確実性）の乏しいものになるという問題があった。
【０００７】
本発明は上記課題を解決するもので、ドラム側フィルターと回転ドラムとの取付を確実なものとすることを目的としている。
【０００８】
そして、製造時の製品組み立て工数を低減することを目的としている。
【０００９】
さらに、製造時の製品組み立て精度の向上と使用時の信頼性向上を図ることを目的としている。
【００１０】
【課題を解決するための手段】
本発明は上記の目的を達成するために、外枠と外枠内に回転自在に軸支された回転ドラムと、この回転ドラム内の衣類を乾燥する熱源と、この熱源からの熱風を前記回転ドラム内へ導き排出するファンと、前記回転ドラムおよびファンを駆動するモータと、前記回転ドラム内に配設した多層構造のフィルターと、前記多層構造のフィルターを形成するドラム側フィルターと、前記ドラム側フィルターに設けた可撓性を有する枠体と、前記枠体に形成したドラム側フィルターを回転ドラムに係着するための爪と、前記枠体に設けられたねじ取り付け穴と、前記ねじ取り付け穴を介してドラム側フィルターを回転ドラムに固定する合成樹脂製の手回し可能なねじと、前記ねじと螺合し、回転ドラムに係着するための爪を設けた合成樹脂性のナットと、前記ねじ取り付け穴近傍に設けたナットの位置決め用の凹部または凸部とを備え、前記凹部または凸部により、ねじの取り外しおよび締め付けによるナットの回動を防止するようにしたことを課題解決手段としている。
【００１１】
【作用】
本発明は上記の課題解決手段により、ドラム側フィルターの回転ドラムへの係着用の爪の掛りが不十分であっても、ねじにて回転ドラムへドラム側フィルターを締め付け固定するため、ドラム側フィルターを回転ドラムに確実に取付けることができる。
【００１２】
そして、ドラム側フィルターの表側にねじ、裏側にねじと螺合する合成樹脂製のナットを取付けた状態で、このドラム側フィルターを回転ドラムに取付け、ナットに設けた係着用爪を回転ドラムに配設したナット係着穴に係着することによってドラム側フィルターを回転ドラムに固定することができ、従来のフィルターの取付作業と同一の作業にて、製品への組み込みが可能となり、組み立て工数の増加を避けることができる。
【００１３】
また、ねじを螺合するナットの位置規制が容易となることから、製造時の組み立て精度の向上が図れるとともに、取付け後のねじの取り外しおよび締め付けによるナット保持部に加わる捩り力を軽減することが可能となり、耐用性を向上することができる。
【００１４】
【実施例】
以下、本発明の一実施例を図１から図４を参照しながら説明する。なお、従来例と同じ構成のものは同一符号を付して説明し、衣類乾燥機の動作については省略する。
【００１５】
図１に示すように、回転ドラム１５内に多層構造のフィルター１６を配設している。この多層構造のフィルター１６を形成するドラム側フィルター１７は、図２に示すように、可撓性を有する合成樹脂により枠体１８を形成し、この枠体１８は内枠１９と外枠２０からなり、内枠１９と外枠２０とを継ぎ部２１により連結し、内枠１９、外枠２０、継ぎ部２１間に網部２２を形成している。
【００１６】
継ぎ部２１に複数の回転ドラム１５への係着用の爪２３およびねじ取付穴２４を形成している。また、ねじ取付穴２４の近傍には、後述するナット２５の外形を狭持するためのリブ２６を配設している。なお、リブ２６に代えて、ナット２５の位置決め用凹部を設けてもよい。
【００１７】
回転ドラム１５のフィルター取付部には、図３に示すように、通気穴２７を多数形成するとともに、ドラム側フィルター１７の爪２３の係着穴２８およびナット２５が係着されるナット係着穴２９を形成している。ナット２５は合成樹脂で形成し、図４に示すように、回転ドラム１５への係着用爪３０を設けており、回転ドラム１５のナット係着穴２９に取付ける。ねじ３１は、合成樹脂で形成し、手回し可能としており、ナット２５に螺合してドラム側フィルター１７を固定するものである。
【００１８】
上記構成において、製造時の製品組み立ての際には、ドラム側フィルター１７のねじ取付穴２４を介して表側にドラム側フィルター１７を回転ドラム１５に固定するねじ３１を配設するとともに、裏側にねじ３１と螺合するナット２５を配設した状態で、ドラム側フィルター１７を回転ドラム１５へ取付けると、継ぎ部２１に形成した回転ドラム１５への係着用の爪２３は、回転ドラム１５の係着穴２８に係着される。また、ナット２５に設けた係着用爪３０が回転ドラム１５に設けたナット係着穴２９に係着することにより、ドラム側フィルター１７を回転ドラム１５に固定することができる。このとき、ナット２５は、リブ２６によって位置規制がされ、ナット係着穴２９に容易に挿入することができる。
【００１９】
つぎに、ドラム側フィルター１７を掃除する場合には、ねじ３１をナット２５より外し、爪２３を係着穴２８から外すことによってドラム側フィルター１７を回転ドラム１５より取り外すことができる。このとき、ナット２５は、係着用爪３０によって回転ドラム１５に係着されている。
【００２０】
再度、ドラム側フィルター１７を回転ドラム１５へ取付けるときは、ドラム側フィルター１７に配設された爪２３を回転ドラム１５の係着用穴２８に係着させて取付け、さらに、ドラム側フィルター１７を介してナット２５にねじ３１を螺合させことによって、ドラム側フィルター１７と回転ドラム１５との取付を確実なものとすることができる。
【００２１】
【発明の効果】
以上のように本発明は、外枠と外枠内に回転自在に軸支された回転ドラムと、この回転ドラム内の衣類を乾燥する熱源と、この熱源からの熱風を前記回転ドラム内へ導き排出するファンと、前記回転ドラムおよびファンを駆動するモータと、前記回転ドラム内に配設した多層構造のフィルターとを備え、前記多層構造のフィルターを形成するドラム側フィルターは、可撓性を有する枠体に形成した爪により前記回転ドラムに係着させるとともに、前記枠体を前記回転ドラムに合成樹脂製の手回し可能なねじにて固定したから、ドラム側フィルターに配設された爪を回転ドラムに係着させて取付け、さらに、手回し可能なねじによってドラム側フィルターを固定するため、回転ドラムへのドラム側フィルターの取付を確実なものとすることができ、ねじを手回し可能としているので、ドラム側フィルターを容易に回転ドラムより外し、また、装着することができる。
【００２２】
そして、ドラム側フィルターの可撓性を有する枠体にねじ取付穴を設け、前記ねじ取付穴を介して表側にドラム側フィルターを回転ドラムに固定するねじを配設するとともに、裏側に前記ねじと螺合する合成樹脂製のナットを配設し、前記ドラム側フィルターの回転ドラムへの取付時に、前記ナットに設けた係着用爪を前記回転ドラムに配設したナット係着穴に係着するようにしたから、ねじとナットを予めドラム側フィルターに組み込んで準備することにより、ドラム側フィルターの回転ドラムへの爪を回転ドラムに係着させることにより、ナットの回転ドラムへの取付も行うことができ、製品組み立て作業が従来と同一の作業行程にて行うことができ、部品点数を増加しドラム側フィルターの取付の確実性を増したにもかかわらず、作業工数の増加がなく生産現場の標準化を図ることができる。
【００２３】
また、ねじ取付穴の近傍に合成樹脂製のナットの位置決め用の凹部または凸部を形成したから、ねじを螺合するナットの位置規制が容易となることから、製造時の組み立て精度の向上が図れるとともに、取付後のねじの取り外しおよび締め付けによるナット保持部に加わる捩り力を軽減することができ、耐用性を向上することができる。
【図面の簡単な説明】
【図１】本発明の一実施例の衣類乾燥機の縦断面図
【図２】（ａ）同衣類乾燥機のドラム側フィルターの正面図
（ｂ）同衣類乾燥機のドラム側フィルターのＡ−Ａ線断面図
【図３】（ａ）同衣類乾燥機の回転ドラムのドラム側フィルター取付部の正面図
（ｂ）同衣類乾燥機の回転ドラムのドラム側フィルター取付部のＢ−Ｂ線断面図
【図４】（ａ）同衣類乾燥機のドラム側フィルター取付部の正面図
（ｂ）同衣類乾燥機のドラム側フィルター取付部の断面図
【図５】従来の衣類乾燥機の縦断面図
【図６】（ａ）同衣類乾燥機のドラム側フィルターの正面図
（ｂ）同衣類乾燥機のドラム側フィルターのＣ−Ｃ線断面図
【符号の説明】
１  外枠
４  ファン
５  モータ
６  ヒータ（熱源）
１５  回転ドラム
１６  フィルター
１７  ドラム側フィルター
１８  枠体
２３  爪
３１  ねじ
【図１】
0003612755.tif 000002
【図２】
0003612755.tif 000003
【図３】
0003612755.tif 000004
【図４】
0003612755.tif 000005
【図５】
0003612755.tif 000006
【図６】
0003612755.tif 000007